【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
底板の全周囲を側板で囲んだ凹型の四角枠状筐体と、その筐体の開口に縦横に設けられた複数の集光レンズを配置した集光板と、前記底板に設けられて前記各集光レンズに対応した発電素子と、前記底板に設けられて前記発電素子が実装された配線とからなる集光型太陽光発電パネルであって、
上記各集光レンズは同一形状であり、その受光面積が４ｃｍ2を超え、１００ｃｍ2未満のフレネルレンズで、その集光レンズのＦ値は１以上２未満であり、
上記発電素子の半導体チップは、光を電気に変換する変換効率が３０％以上であり、
上記底板が金属からなり、その底板の熱伝導度をσC、厚みをｔCとしたとき、広がり熱伝導係数σC・ｔC≧０．１（Ｗ／Ｋ）であり、前記発電素子の接合から前記底板の放熱面に至る熱抵抗ＲJCは、ＲJC≦３００（Ｋ／Ｗ）ｍｍ2であり、
上記集光レンズを等価的に面積が等しい一辺がＲSｃｍの正方形形状で表し、かつ、上記発電素子の半導体チップの受光面積ＳSを等価的に面積が等しい一辺がＤSｍｍの正方形形状で表したとき、ＤS≧０．３８×ＲS＋０．１４なる関係を満足する集光型太陽光発電パネル。
【請求項２】
底板の全周囲を側板で囲んだ凹型の四角枠状筐体と、その筐体の開口に縦横に設けられた複数の集光レンズを配置した集光板と、前記底板に設けられて前記各集光レンズに対応した発電素子と、前記底板に設けられて前記発電素子が実装された配線とからなる集光型太陽光発電パネルであって、
上記各集光レンズは同一形状であり、その受光面積が４ｃｍ2を超え、１００ｃｍ2未満のフレネルレンズで、その集光レンズのＦ値は１以上２未満であり、
上記発電素子の半導体チップは光を電気に変換する変換効率が３０％以上であり、
上記底板が金属からなり、その底板の熱伝導度をσC、厚みをｔCとしたとき、広がり熱伝導係数σC・ｔC≧０．１（Ｗ／Ｋ）であり、前記発電素子の接合から前記底板の放熱面に至る熱抵抗ＲJCは、ＲJC≦１５０（Ｋ／Ｗ）ｍｍ2であり、
上記集光レンズを等価的に面積が等しい一辺がＲSｃｍの正方形形状で表し、かつ、上記発電素子の半導体チップの受光面積ＳSを等価的に面積が等しい一辺がＤSｍｍの正方形形状で表したとき、ＤS≧０．２７×ＲS＋０．１４なる関係を満足することを特徴とする集光型太陽光発電パネル。
【請求項３】
底板の全周囲を側板で囲んだ凹型の四角枠状筐体と、その筐体の開口に縦横に設けられた複数の集光レンズを配置した集光板と、前記底板に設けられて前記各集光レンズに対応した発電素子と、前記底板に設けられて前記発電素子が実装された配線とからなる集光型太陽光発電パネルであって、
上記各集光レンズは同一形状であり、その受光面積が４ｃｍ2を超え、６４ｃｍ2未満のフレネルレンズで、その集光レンズのＦ値は１以上２未満であり、
上記発電素子の半導体チップは、光を電気に変換する変換効率が３０％以上であり、
上記底板が樹脂からなり、その底板の熱伝導度をσC、厚みをｔCとしたとき、広がり熱伝導係数σC・ｔCが、σC・ｔC≧０．００７（Ｗ／Ｋ）であり、前記発電素子の接合から前記底板の放熱面に至る熱抵抗ＲJCは、ＲJC≦３００（Ｋ／Ｗ）ｍｍ2であり、
上記集光レンズを等価的に面積が等しい一辺がＲSｃｍの正方形形状で表し、かつ、上記発電素子の半導体チップの受光面積ＳSを等価的に面積が等しい一辺がＤSｍｍの正方形形状で表したとき、ＤS≧０．１７４×ＲS2―０．６０９×ＲS＋１．５９４なる関係を満足することを特徴とする集光型太陽光発電パネル。
【請求項４】
底板の全周囲を側板で囲んだ凹型の四角枠状筐体と、その筐体の開口に縦横に設けられた複数の集光レンズを配置した集光板と、前記底板に設けられて前記各集光レンズに対応した発電素子と、前記底板に設けられて前記発電素子が実装された配線とからなる集光型太陽光発電パネルであって、
上記各集光レンズは同一形状であり、その受光面積が４ｃｍ2を超え、６４ｃｍ2未満のフレネルレンズで、その集光レンズのＦ値は１以上２未満であり、
上記発電素子の半導体チップは、光を電気に変換する変換効率が３０％以上であり、
上記底板が樹脂からなり、その底板の熱伝導度をσC、厚みをｔCとしたとき、広がり熱伝導係数σC・ｔCが、σC・ｔC≧０．００７（Ｗ／Ｋ）であり、上記発電素子の接合から前記底板の放熱面に至る熱抵抗ＲJCは、ＲJC≦１５０（Ｋ／Ｗ）ｍｍ2であり、
上記集光レンズを等価的に面積が等しい一辺がＲSｃｍの正方形形状で表し、かつ、上記発電素子の半導体チップの受光面積ＳSを等価的に面積が等しい一辺がＤSｍｍの正方形形状で表したとき、ＤS≧０．１９３×ＲS2―０．９０８×ＲS＋１．９２なる関係を満足することを特徴とする集光型太陽光発電パネル。
【請求項５】
請求項１乃至４の何れか一つに記載の集光型太陽光発電パネル（Ｐ）を複数備える太陽光発電装置。
【手続補正２】
【補正対象書類名】明細書
【補正対象項目名】００１３
【補正方法】変更
【補正の内容】
【００１３】
放熱経路は、いろいろ考えられるが、最も簡単で、設計上最悪に相当するであろう上記のような、発電素子２２で発生した熱損失がすべて筐体底部（以下、底板とも言う）の放熱面に伝わり、大気に接触する面からすべて放散されるという簡便なモデルで考える。
ここで、以下に使用するパラメータと熱解析の前提を説明する。
１）  発電素子の発熱と放熱面の関係
発電素子２２で発生した損失ＱLOS（熱エネルギー）を放熱面に伝達する際の熱抵抗をＲJC（Ｋ／Ｗ：ケルビン／ワット）とし、損失ＱLOSは、発電素子２２の表面近傍（接合部分：Junction）で発生し、接合−放熱面（筐体底部）までの熱抵抗ＲJCは、発電素子２２のパッケージ、配線材（ＦＰＣ２１）を含めた実装形態に大きく依存する。ここでは、熱抵抗の広がりを無視して、発電素子２２の半導体チップサイズＤSｃｍ□で解析する。
また、発電素子２２の接合温度ＴJ℃と発電素子直下の放熱面（筐体底部）の温度ＴCMAX℃の間には、ＴCMAX＝ＴJ−ＱLOS×ＲJC（℃）（式（１））なる関係が成り立つ。
【手続補正３】
【補正対象書類名】明細書
【補正対象項目名】００３８
【補正方法】変更
【補正の内容】
【００３８】
これらの結果から、以下のような関係が言える。
１）σC・ｔC≧０．１Ｗ／Ｋ（金属材料）、ＲJC≦３００（Ｋ／Ｗ）ｍｍ2、２＜Ｒｓ＜１０（ｃｍ□）において、
ＤS≧０．３８×ＲS＋０．１４
２）σC・ｔC≧０．１Ｗ／Ｋ（金属材料）、ＲJC≦１５０（Ｋ／Ｗ）ｍｍ2、２＜Ｒｓ＜１０（ｃｍ□）において、
ＤS≧０．２７×ＲS＋０．１４
３）σC・ｔC≧０．００７Ｗ／Ｋ（樹脂材料）、ＲJC≦３００（Ｋ／Ｗ）ｍｍ2、２＜Ｒｓ＜８（ｃｍ□）において、
ＤS≧０．１７４×ＲS2―０．６０９×ＲS＋１．５９４
４）σC・ｔC≧０．００７Ｗ／Ｋ（樹脂材料）、ＲJC≦１５０（Ｋ／Ｗ）ｍｍ2、２＜Ｒｓ＜８（ｃｍ□）において、
ＤS≧０．１９３×ＲS2―０．９０８×ＲS＋１．９２
【手続補正４】
【補正対象書類名】明細書
【補正対象項目名】００５７
【補正方法】変更
【補正の内容】
【００５７】
上記複数の集光レンズのＦ値は、１以上２未満とすることが好ましい。また、筐体の高さは１２０ｃｍ未満とすることが好ましい。筐体の高さが１２０ｃｍ以上であると、パネルＰが嵩高くなって持ちにくくなるからである。